(57)【要約】【課題】データ放送表示中におけるタッチパネル上の操作を経た表示更新にかかる操作性を向上させる。【解決手段】データ放送制御部１０はデータ放送用情報を入力して、これに含まれるＢＭＬで記述される描画部品情報にイベントキーが含まれていれば表示領域座標値と当該イベントキーとを関連付けて記憶部９内の描画部品管理テーブル上に反映する。機能解析部１２は各描画部品の表示領域の拡張有効領域座標値を計算し、これらを同一描画部品のイベントキーと関連付けて記憶部９に反映させる。タッチパネル８に対してユーザによる接触操作がなされた場合に機能解析部１２は接触位置の座標値が記憶部９に記憶される一描画部品に関する拡張有効領域座標値で定められる領域内の座標値であれば、この拡張有効領域座標値に対して描画部品管理テーブル上で関連付けられるイベントキーを記憶部９から検索する。【選択図】      図１
2007259332.tif 000002
【特許請求の範囲】
【請求項１】
データ放送用情報を含むデジタル放送電波を受信選局する受信選局手段と、
この受信選局した電波に含まれるデータ放送用情報を取得する取得手段と、
表示画面を有する表示手段と、
この表示手段の表示画面を覆うタッチパネルと、
前記取得手段により取得したデータ放送用情報から、前記表示画面への表示対象となる各表示単位の前記表示画面上における表示領域情報と前記各表示単位に関わる処理動作情報とを表示単位ごとに関連付けて抽出する抽出手段と、
この抽出手段により抽出した情報で示される表示領域を拡張した前記タッチパネル上の有効領域を表示単位ごとに計算する計算手段と、
前記各表示単位を前記表示画面に表示させる表示制御手段と、
前記タッチパネル上の接触操作位置を検出する検出手段と、
前記表示制御手段により前記各表示単位が表示されている場合に前記検出手段により検出した位置が前記いずれかの表示単位と関わる有効領域内である場合に、前記抽出手段により抽出した当該有効領域内の表示領域の情報と関連付けられる処理動作情報にしたがった処理動作を実行する処理手段と
を備えたことを特徴とするデジタル放送受信装置。
【請求項２】
前記表示制御手段は、
前記計算手段により計算した有効領域の識別用情報を前記表示手段の表示画面上にさらに表示させることを特徴とする請求項１に記載のデジタル放送受信装置。
【請求項３】
前記計算手段は、
前記一表示単位に関する前記有効領域を前記抽出手段により抽出した情報で示される当該表示単位の表示領域と前記表示画面上で隣接する他の表示単位の表示領域との間隔をもとに計算する
ことを特徴とする請求項１に記載のデジタル放送受信装置。
【請求項４】
前記計算手段は、
前記一表示単位に関する前記有効領域を前記抽出手段により抽出した情報で示される当該表示単位の表示領域の重心と当該表示領域に隣接する他の表示単位の表示領域の重心との中間が当該有効領域の境界となるように計算する
ことを特徴とする請求項１に記載のデジタル放送受信装置。
【請求項５】
前記計算手段は、
前記一表示単位に関する前記有効領域を前記抽出手段により抽出した情報で示される当該表示単位の表示領域の重心と当該表示領域に隣接する他の表示単位の表示領域の重心との間に当該有効領域の余白が設けられるように計算する
ことを特徴とする請求項１に記載のデジタル放送受信装置。
【請求項６】
データ放送用情報を含むデジタル放送電波を受信選局する受信選局手段と、
この受信選局した電波に含まれるデータ放送用情報を取得する取得手段と、
表示画面を有する表示手段と、
この表示手段の表示画面を覆うタッチパネルと、
前記取得手段により取得したデータ放送用情報から、前記表示画面への表示対象となる各表示単位の前記表示画面上における表示領域情報と前記各表示単位に関わる処理動作情報とを表示単位ごとに関連付けて抽出する抽出手段と、
前記タッチパネル上の接触操作位置を検出する検出手段と、
前記抽出手段により抽出した情報のうち前記検出手段により検出した位置に最も近い重心を有する表示単位の表示領域の情報と関連付けられる処理動作情報にしたがった処理動作を実行する処理手段と
を備えたことを特徴とするデジタル放送受信装置。
【発明の詳細な説明】
【技術分野】
【０００１】
本発明は、データ放送用情報を含む放送電波を受信するデジタル放送受信装置に関する。
【背景技術】
【０００２】
従来、デジタル放送受信装置は映像情報、音声情報およびデータ放送用情報などが多重化された放送電波を受信して、この放送電波に含まれる各種情報をそれぞれ再生する。
【０００３】
デジタル放送受信装置にはデータ放送用情報の表示更新にかかる操作の利便性を向上させるために、例えば特許文献１に開示されたように表示装置の表示画面上にタッチパネルを設けた上で、このタッチパネルの接触操作用の領域に各種ボタンへの操作入力の機能を割当て、タッチパネル上における接触操作が行われた領域に応じて前述した各種ボタンへの操作入力時における応答を実行するものがある。
【０００４】
つまり、このデジタル放送受信装置はタッチパネルの操作面のうち表示画面に表示される描画部品に対応する箇所をユーザの指により接触操作することで当該描画部品に対応するイベントキーにしたがってデータ放送の表示内容を更新する。
【特許文献１】特開２００４−１４０８１１号公報
【発明の開示】
【発明が解決しようとする課題】
【０００５】
しかし放送局が送信する電波に含まれるデータ放送用情報は受信装置側のリモコン装置上のボタンに対する操作を行なうことで表示更新がなされることが前提されているので、表示画面上に表示されるデータ放送用データの表示単位である描画部品の大きさは小さい場合が多い。
【０００６】
特に車載式のデジタル放送受信装置のようにモニタ画面が小さい場合には表示される描画部品をユーザの指を用いてタッチパネル上で正しく選択することは困難である。よってタッチパネルによる操作性の利点を生かすことができない。
【０００７】
そこで、本発明の目的は、データ放送表示中におけるタッチパネル上の操作を経た表示更新にかかる操作性を向上させることが可能になるデジタル放送受信装置を提供することにある。
【課題を解決するための手段】
【０００８】
すなわち、本発明に係わるデジタル放送受信装置は、表示画面を有する表示手段と、この表示手段の表示画面を覆うタッチパネルとを備え、データ放送用情報を含むデジタル放送電波を受信選局した電波に含まれるデータ放送用情報を取得し、表示画面への表示対象となる各表示単位の表示画面上における表示領域情報と各表示単位に関わる処理動作情報とをデータ放送用情報から抽出し、この抽出した表示領域を拡張したタッチパネル上の有効領域を計算し、タッチパネルにおける計算済みの有効領域に対応する位置が押下された場合、この有効領域内の表示領域の情報と関連付けられる処理動作情報にしたがった処理動作を実行することを特徴とする。
【発明の効果】
【０００９】
本発明に係わるデジタル放送受信装置では、データ放送表示中におけるタッチパネル上の操作を経た表示更新にかかる操作性を向上させることができる。
【発明を実施するための最良の形態】
【００１０】
以下図面により本発明の実施形態について説明する。  
図１は、本発明の実施形態にしたがったデジタル放送受信装置の構成例を示すブロック図である。
【００１１】
図１に示したデジタル放送受信装置は車載式の装置であり、チューナ部３、復調分離部４、デコード部５、タッチパネル８、記憶部９、データ放送制御部１０、入力部１１および機能解析部１２を備え、それぞれがバス１３を介して相互に接続される。また、デコード部５には表示装置６および音声出力部７と接続される。
【００１２】
制御部１は装置全体の動作を司る。チューナ部３はデジタル放送電波をアンテナ２を介して受信および選局する。復調分離部４は選局された信号を誤り訂正を経て元のデジタル信号のＴＳ（Transport Stream）に復調し、これを選局チャンネルの映像情報、音声情報およびデータ放送用情報に分離する。デコード部５は分離された映像情報をデコ−ドして表示装置６に出力する。また、デコード部５は分離された音声情報をデコ−ド（復号）して音声出力部７に出力する。
【００１３】
記憶部９には制御用プログラムの他、後述する描画部品管理テーブルが記憶される。また、データ放送制御部１０は分離されたデータ放送用情報をデコードして必要時にデコード部５を介して表示装置６に出力する。
【００１４】
タッチパネル８は透明な操作面が表示装置６の表示画面上を覆う形態で配置される。ユーザが表示装置６の表示画面をタッチパネル８上から透かして見ながら当該タッチパネル８の操作面に対する接触操作を行なうと、タッチパネル８は操作面を座標平面とした場合の接触位置に対応する座標値を示す信号を制御部１に出力する。
【００１５】
ここではタッチパネル８の操作面のサイズおよび表示装置６の表示画面のサイズは同一であり、操作面に対応する座標平面の原点と表示画面に対応する座標平面の原点はタッチパネル８の操作面の左下の端部および表示装置６の表示画面の左下の端部にそれぞれ対応する。また、各座標平面の水平座標軸は操作面の下底辺および表示画面の下底辺にそれぞれ対応し、各座標平面の垂直座標軸は操作面の左側辺および表示画面の左側辺にそれぞれ対応する。入力部１１はタッチパネル８と異なる入力デバイスであり、各種スイッチやボタンでなる。
【００１６】
データ放送用情報は表示装置６の表示画面上に表示される文字データや画像データなどの表示位置情報などが記述されるＢＭＬ（Broadcasting Markup Language）ファイル、文字データが定義されるバイナリテーブル（Binary Table）ファイルおよび画像データファイルを含む。
【００１７】
ＢＭＬファイルは描画部品情報を含む。描画部品とはデータ放送において表示装置６の表示画面での表示単位となる矩形画像である。描画部品情報はファイル名の情報や当該描画部品の表示領域座標値の情報を含む。表示領域座標値とは描画部品の表示画面上における表示位置を定義するための各種座標値である。
【００１８】
また、描画部品情報は画面更新などのコマンドが記述されたイベントキーを含むものと含まないものがそれぞれ存在する。このイベントキーには放送局からの信号にしたがって実行されるものとデジタル放送受信装置側での操作により実行されるものがある。以後、後者のイベントキーを内在イベントキーと呼称する。
【００１９】
データ放送制御部１０はＢＭＬファイルをデコードして描画部品のファイル名および当該描画部品の表示装置６の表示画面上における表示領域座標値の情報を描画部品ごとに取得する。
【００２０】
機能解析部１２は各描画部品情報のうちイベントキーと含む描画部品情報に含まれる表示領域座標値をもとに拡張有効領域の座標値を計算する。拡張有効領域は表示領域の寸法を拡張したタッチパネル８の操作面上の領域である。
【００２１】
図２は、本発明の実施形態にしたがったデジタル放送受信装置の記憶部９に記憶される描画部品管理テーブルの構成例を表形式で示す図である。  
この描画部品管理テーブルは各描画部品のうち内在イベントキーをもつ描画部品の表示領域座標値、拡張有効領域座標値および当該イベントキーが関連付けられて管理される。
【００２２】
描画部品管理テーブル中の表示領域座標値の「ｔｏｐ」は表示画面全領域の上辺の垂直座標値から描画部品の表示画面上の表示領域の上辺の垂直座標値を減算した値であり、「ｌｅｆｔ」は描画部品の表示画面上の表示領域の左側辺の水平座標値である。
【００２３】
また、表示領域座標値の「ｗｉｄｔｈ」は描画部品の表示画面上の表示領域の右側辺の水平座標値と左側辺の水平座標値との差分であり、「ｈｅｉｇｈｔ」は描画部品の表示画面上の表示領域の上辺の垂直座標値と下辺の垂直座標値との差分である。
【００２４】
一方、描画部品管理テーブル中の拡張有効領域の各座標値はテーブル上で対応する表示領域の各座標値が補正された値である。機能解析部１２はタッチパネル８上で接触された箇所の座標値が描画部品管理テーブル中のいずれかのイベントキーと関連付けられる拡張有効領域座標値で定められる領域内の座標値であった場合には、この拡張有効領域座標値と描画部品管理テーブル上で対応付けられるイベントキーを描画部品管理テーブルから検索して出力する。
【００２５】
次に、図１に示した構成のデジタル放送受信装置の動作について説明する。  
図３は、本発明の実施形態にしたがったデジタル放送受信装置の処理動作の一例を示すフローチャートである。
【００２６】
まず、データ放送制御部１０は復調分離部４が分離したデータ放送用情報を入力して、これに含まれるＢＭＬを読み込み（ステップＳ１）、このＢＭＬで記述される描画部品情報を描画部品ごとに取得する（ステップＳ２）。
【００２７】
データ放送制御部１０はステップＳ２の処理で取得した描画部品情報に内在イベントキーが含まれているか否かを判別し（ステップＳ３）、この処理の結果「ＹＥＳ」と判別した場合にはステップＳ２の処理で取得した描画部品情報に含まれる表示領域座標値を認識し、この座標値と前述した内在イベントキーとを関連付けて記憶部９に記憶される描画部品管理テーブル上に反映する（ステップＳ４）。
【００２８】
そして機能解析部１２はステップＳ１の処理で読み込んだＢＭＬで記述される描画部品情報を全て取得したか否かを判別し（ステップＳ５）、この処理の結果「ＹＥＳ」と判別した場合にはステップＳ２の処理で取得した各描画部品の表示領域の外周に隣接する描画部品の表示領域座標値の情報を記憶部９に記憶される描画部品管理テーブルから読み出してこれを認識する（ステップＳ６）。
【００２９】
機能解析部１２はステップＳ２の処理で取得した各描画部品の表示領域の拡張有効領域座標値の「ｔｏｐ」、「ｌｅｆｔ」、「ｗｉｄｔｈ」および「ｈｅｉｇｈｔ」の値をそれぞれ計算し、これらを同一描画部品の表示領域座標値およびイベントキーと関連付けて記憶部９に記憶される描画部品管理テーブル上に反映させる（ステップＳ７）。
【００３０】
具体的には、機能解析部１２は描画部品管理テーブルで示される前述した各描画部品の表示領域の「ｗｉｄｔｈ」および「ｈｅｉｇｈｔ」の値を予め定められた標準補正値が加算された値とし、「ｔｏｐ」および「ｌｅｆｔ」の値を前述した標準補正値が減算された値とする。ただし、機能解析部１２は、この標準補正値で示される拡張有効領域の少なくとも一部が他の描画部品の有効領域座標値で示される拡張有効領域と重複する場合には、双方の領域の重心同士の中間が境界となるように補正値の大小を調節する。
【００３１】
そしてデコード部５はデータ放送用の初期画面を表示装置６に表示させる（ステップＳ８）。図４は、本発明の実施形態にしたがったデジタル放送受信装置の表示装置６における表示画面Ｇ１の一例を示す図である。
【００３２】
この表示画面Ｇ１には首都圏ニュースの各種見出しを示す描画部品Ｗ１，Ｗ２，Ｗ３、他の見出しへの表示更新のための描画部品Ｗ４、各種見出しのいずれかの詳細を示す文字情報が示される描画部品Ｗ５、映像情報が表示される描画部品Ｗ６、メニュー画面への表示更新のための描画部品Ｗ７、別地域のニュース画面への表示更新のための描画部品Ｗ８、天気予報画面への表示更新のための描画部品Ｗ９およびニュース画面の表示終了のための描画部品Ｗ１０が表示される。
【００３３】
ここで、タッチパネル８の操作面に対してユーザによる接触操作がなされた場合に制御部１は操作面上で接触操作された水平座標値および垂直座標値を認識する。制御部１はこれらの座標値の情報を認識して機能解析部１２に出力する（ステップＳ９→Ｓ１０）。
【００３４】
機能解析部１２は、制御部１からの座標値と記憶部９に記憶される描画部品管理テーブル上の拡張有効領域座標値とを比較し、タッチパネル８上の接触位置の座標値が描画部品管理テーブル上のいずれかの描画部品と関わる拡張有効領域座標値で定義される領域内の座標値であるか否かを判別する（ステップＳ１１）。
【００３５】
この座標値で定義される領域とは第１点、第２点、第３点および第４点を含む四角形内の領域である。第１点は描画部品管理テーブル上のいずれかの描画部品と関わる拡張有効領域座標値の「ｌｅｆｔ」の値を水平座標値とし、表示画面の全領域の上辺の垂直座標値から前述した描画部品と関わる拡張有効領域座標値の「ｔｏｐ」の値を減算した値を垂直座標値として定義した点である。
【００３６】
第２点は前述した描画部品と関わる拡張有効領域座標値の「ｌｅｆｔ」の値を水平座標値とし、表示画面の全領域の上辺の垂直座標値から前述した描画部品と関わる拡張有効領域座標値の「ｔｏｐ」の値と「ｈｅｉｇｈｔ」の値をともに減算した値を垂直座標値として定義した点である。
【００３７】
また、第３点は前述した描画部品と関わる拡張有効領域座標値の「ｌｅｆｔ」の値と「ｗｉｄｔｈ」の値の和を水平座標値とし、表示画面の全領域の上辺の垂直座標値から前述した描画部品と関わる拡張有効領域座標値の「ｔｏｐ」の値を減算した値を垂直座標値として定義した点である。
【００３８】
第４点は前述した描画部品と関わる拡張有効領域座標値の「ｌｅｆｔ」の値と「ｗｉｄｔｈ」の値の和を水平座標値とし、表示画面の全領域の上辺の垂直座標値から前述した描画部品と関わる拡張有効領域座標値の「ｔｏｐ」の値と「ｈｅｉｇｈｔ」の値をともに減算した値を垂直座標値として定義した点である。
【００３９】
具体的には、機能解析部１２は第１、第２、第３および第４の条件を全て満たした場合にステップＳ１１の処理で「ＹＥＳ」と判別する。第１の条件は制御部１からの水平座標値が描画部品管理テーブル上の一イベントキーと関連付けられる拡張有効領域座標値の「ｌｅｆｔ」の値以上となる事であり、第２の条件は制御部１からの水平座標値が前述した一イベントキーと関連付けられる拡張有効領域座標値の「ｌｅｆｔ」の値と「ｗｉｄｔｈ」の値との和以下となる事である。
【００４０】
また、第３の条件は制御部１からの垂直座標値が表示画面の全領域の上辺の垂直座標値から前述した一イベントキーと関連付けられる拡張有効領域座標値の「ｔｏｐ」の値を減算した値以下となる事であり、第４の条件は制御部１からの垂直座標値が表示画面の全領域の上辺の垂直座標値から前述した一イベントキーと関連付けられる拡張有効領域座標値の「ｔｏｐ」の値と「ｈｅｉｇｈｔ」の値をともに減算した値以上となる事である。
【００４１】
機能解析部１２はステップＳ１１の処理の結果「ＹＥＳ」と判別した場合には前述した描画部品と関わる拡張有効領域座標値と描画部品管理テーブル上で関連付けられるイベントキーとを記憶部９内の描画部品管理テーブルから検索し、これらをデータ放送制御部１０に出力する。データ放送制御部１０は機能解析部１２からのイベントキーにしたがった表示更新処理を実行する。この表示更新処理にはフォーカス移動が含まれる。この結果、表示装置６におけるデータ放送の表示画面が更新される（ステップＳ１２）。
【００４２】
以上のように、本発明の実施形態にしたがったデジタル放送受信装置では、ユーザがタッチパネル８の操作面において、表示装置６の表示画面上に表示される一描画部品の表示画面上の領域より広い領域に対する接触操作を行なった場合に、当該描画部品と関連するイベントキーにしたがった表示更新処理が実行されるので、データ放送表示中におけるタッチパネル上の操作を経た表示更新にかかる操作性を向上させることができる。
【００４３】
以上説明した実施形態にしたがったデジタル放送受信装置は拡張有効領域座標値にしたがって定義される領域の外枠を表示装置６の表示画面上に表示させても良い。図５は、本発明の実施形態にしたがったデジタル放送受信装置の表示装置６における拡張有効領域が明示された表示画面の一例を示す図である。
【００４４】
具体的には、まず機能解析部１２はタッチパネル８が接触操作された場合の制御部１からの座標値と記憶部９に記憶される描画部品管理テーブル上の拡張有効領域座標値とを比較する。
【００４５】
そして機能解析部１２はタッチパネル８上の接触位置の座標値が描画部品管理テーブル上のそれぞれの拡張有効領域座標値で示される表示画面上の表示領域内に対応する座標値でない場合には、タッチパネル８上の接触位置の座標値が含まれる表示領域に対応する拡張有効領域座標値を記憶部９から読み出してデータ放送制御部１０に出力する。
【００４６】
データ放送制御部１０は、この座標値で定義される領域の外枠を表示装置６に表示させる。この外枠とは前述した第１点乃至第４点を結ぶ点線である。これによりユーザは拡張有効領域の表示画面上から容易に認識することができる。
【００４７】
次に本発明の実施形態にしたがったデジタル放送受信装置の第１の変形例ついて説明する。図６は、本発明の実施形態にしたがったデジタル放送受信装置の表示装置６における拡張有効領域の変形例が明示された表示画面の一例を示す図である。
【００４８】
この変形例にしたがったデジタル放送受信装置の機能解析部１２は描画部品管理テーブルで示される前述した各描画部品の表示領域の「ｗｉｄｔｈ」および「ｈｅｉｇｈｔ」の座標値を予め定められた標準補正値が加算された値に変更し「ｔｏｐ」および「ｌｅｆｔ」の座標値を前述した標準補正値が減算された値に変更する際に、この変更後の値で示される一拡張有効領域で定義される領域と他の描画部品の拡張有効領域座標値で定義される領域との間に図６に示したような予め定められた空白が設けられるように補正値の大小を調節する。具体的には例えば機能解析部１２は一方の領域の重心と他方の領域の重心との間を３等分した中央部分に属する領域が有効領域でない余白となるように補正値を調節する。
【００４９】
次に本発明の実施形態にしたがったデジタル放送受信装置の第２の変形例ついて説明する。この変形例にしたがったデジタル放送受信装置の機能解析部１２はタッチパネル８上の接触位置の座標値が描画部品管理テーブル上のそれぞれの拡張有効領域座標値で示される表示画面上の表示領域内に対応する座標値でない場合には、タッチパネル８上の接触位置の座標値と描画領域テーブルで示される各描画部品の拡張有効領域座標値とを比較し、当該拡張有効領域座標値で定義される領域の重心のうち最も近い重心と関わる描画部品と対応するイベントキーを描画部品管理テーブルから検索し、これをデータ放送制御部１０に出力する。データ放送制御部１０は機能解析部１２からのイベントキーで記述された表示更新処理を実行する。これにより、ユーザがタッチパネル８上からの操作が無効となることを防止でき、ユーザが意図した表示更新を実現できる。
【００５０】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５１】
【図１】本発明の実施形態にしたがったデジタル放送受信装置の構成例を示すブロック図。
【図２】本発明の実施形態にしたがったデジタル放送受信装置の記憶部に記憶される描画部品管理テーブルの構成例を表形式で示す図。
【図３】本発明の実施形態にしたがったデジタル放送受信装置の処理動作の一例を示すフローチャート。
【図４】本発明の実施形態にしたがったデジタル放送受信装置の表示装置における表示画面の一例を示す図。
【図５】本発明の実施形態にしたがったデジタル放送受信装置の表示装置における拡張有効領域が明示された表示画面の一例を示す図。
【図６】本発明の実施形態にしたがったデジタル放送受信装置の表示装置における拡張有効領域の変形例が明示された表示画面の一例を示す図。
【符号の説明】
【００５２】
１…制御部、２…アンテナ、３…チューナ部、４…復調分離部、５…デコード部、６…表示装置、７…音声出力部、８…タッチパネル、９…記憶部、１０…データ放送制御部、１１…入力部、１２…機能解析部、１３…バス。
【図１】
2007259332.tif 000003
【図２】
2007259332.tif 000004
【図３】
2007259332.tif 000005
【図４】
2007259332.tif 000006
【図５】
2007259332.tif 000007
【図６】
2007259332.tif 000008